(57)【要約】【課題】  水平ブレースを必要とせずに水平力を床パネルで負担できる。天井裏空間への配管、配線、照明器具、空調装置等の配置が容易にでき、天井裏空間の懐を短くできる。【解決手段】  床パネル３を外周枠４の上面に構造用面板５を取着した構造用床パネルにより構成する。床パネル３の４辺とそれぞれ対向する各梁２の側面に側大引８の梁取付け用縦片６を梁２の側面の長手方向に沿って配設すると共に該長手方向の２箇所以上でボルト９により結合する。床パネル３の外周枠４の４辺をそれぞれ該床パネル３の４辺とそれぞれ対向する梁２に取付けた上記側大引８の床パネル取付け用横片７に載置すると共に床パネル取付け用横片７の長手方向の２箇所以上でボルト９により結合する。【選択図】        図１
2006037364.tif 000002
【特許請求の範囲】
【請求項１】
ラーメン構造の架構体を構成する梁で四周を囲まれた部分に床パネルを配設して取付けるものであって、床パネルを外周枠の上面に構造用面板を取着した構造用床パネルにより構成し、梁取付け用縦片と梁取付け用縦片から側方に一体に突設した床パネル取付け用横片とを備えた長尺の側大引を形成し、床パネルの４辺とそれぞれ対向する各梁の側面に側大引の梁取付け用縦片を梁の側面の長手方向に沿って配設すると共に該長手方向の２箇所以上でボルトにより結合し、床パネルの外周枠の４辺をそれぞれ該床パネルの４辺とそれぞれ対向する梁に取付けた上記側大引の床パネル取付け用横片に載置すると共に床パネル取付け用横片の長手方向の２箇所以上でボルトにより結合して成ることを特徴とするラーメン構造の架構体への床パネルの取付け構造。
【請求項２】
床パネルの４辺をそれぞれ取付ける側大引が、それぞれ対応する床パネルの辺の長さの１／２以上の長さであることを特徴とする請求項１記載のラーメン構造の架構体への床パネルの取付け構造。
【請求項３】
ラーメン構造の架構体を建物本体用架構体部からバルコニー用架構体部を一体に張り出して形成し、建物本体用架構体部に上記側大引を介して取付ける床パネルの上面位置よりも、バルコニー用架構体部に上記側大引を介して取付ける床パネルの上面位置を下に位置させて成ることを特徴とする請求項１又は請求項２記載のラーメン構造の架構体への床パネルの取付け構造。
【発明の詳細な説明】
【技術分野】
【０００１】
本発明は、水平ブレースを使用することなく床パネルに水平力を負担させることができるようにしたラーメン構造の架構体への床パネルの取付け構造に関するものである。
【背景技術】
【０００２】
従来からラーメン架構体の建物においては、床パネルを取付けるに当たっては、特許文献１に示されるようなピース状をした床取付け金具をＨ鋼よりなる梁のウェッブにボルトで取付け、床パネルの四隅をそれぞれピース状の床取付け金具に載置してそれぞれ一本のボルトにより取付け、床パネルよりも下方位置で梁間に水平ブレースを架け渡していた。いわば従来は床パネルの四隅部分をそれぞれ一本のボルトによりピン接合して、地震等の水平力が作用しても床パネルでは水平力を負担しないようにし、地震等の水平力は床パネルの下方位置において架け渡される水平ブレースにより支持していた。
【０００３】
ところが、上記従来例においては、床パネルの下方位置に水平ブレースを配設するものであるから、水平ブレースを必要とするという問題があるのみならず、また、水平ブレースの施工を必要とするため施工が面倒となり、更に、天井裏空間の懐（つまり天井裏空間の上下長さ）が長くなり（高くなり）、その分、建物の高さが高くなってコストアップの原因となり、更に、天井裏空間内に水平ブレースが存在するため、天井裏空間に配管や配線を通したり、あるいは照明器具、空調装置等を配置する際に、水平ブレースが邪魔になって配管や配線を通すことができなかったり、照明器具、空調装置等を配置できなかったり、あるいは配管、配線、照明器具、空調装置の配置位置が水平ブレースにより制約を受けたり、あるいは、天井裏空間への配管や配線を通す作業、照明器具や空調装置の配設作業がし難くなるという問題があった。
【特許文献１】特開２００１−２０７５７８号公報
【発明の開示】
【発明が解決しようとする課題】
【０００４】
本発明は上記の従来の問題点に鑑みて発明したものであって、簡単な構成で水平ブレースを必要とすることなく水平力を床パネルで負担でき、天井裏空間への配管、配線、照明器具、空調装置等の配置が容易にでき、また、天井裏空間の懐を短くすることも可能となるラーメン構造の架構体への床パネルの取付け構造を提供することを課題とするものである。
【課題を解決するための手段】
【０００５】
上記課題を解決するために本発明に係るラーメン構造の架構体への床パネルの取付け構造は、ラーメン構造の架構体１を構成する梁２で四周を囲まれた部分に床パネル３を配設して取付けるものであって、床パネル３を外周枠４の上面に構造用面板５を取着した構造用床パネルにより構成し、梁取付け用縦片６と梁取付け用縦片６から側方に一体に突設した床パネル取付け用横片７とを備えた長尺の側大引８を形成し、床パネル３の４辺とそれぞれ対向する各梁２の側面に側大引８の梁取付け用縦片６を梁２の側面の長手方向に沿って配設すると共に該長手方向の２箇所以上でボルト９により結合し、床パネル３の外周枠４の４辺をそれぞれ該床パネル３の４辺とそれぞれ対向する梁２に取付けた上記側大引８の床パネル取付け用横片７に載置すると共に床パネル取付け用横片７の長手方向の２箇所以上でボルト９により結合して成ることを特徴とするものである。
【０００６】
このような構成とすることで、構造用床パネルよりなる床パネル３の４辺がそれぞれラーメン構造の架構体１を構成する床パネル３の４辺に対向する各梁２に対して長尺の側大引８を介して捩れないように連結一体化してあるので、地震等による水平力がラーメン構造の架構体１に作用した場合、水平力を梁２から構造用床パネルよりなる床パネル３で負担することができ、これにより床パネル３を配置した部分の下方に従来のように水平力を負担するための水平ブレースを架け渡す必要がないものである。
【０００７】
また、床パネル３の４辺をそれぞれ取付ける側大引８が、それぞれ対応する床パネル３の辺の長さの１／２以上の長さであることが好ましい。
【０００８】
このような構成とすることで、側大引８により安定して床パネル３を支持した状態で取付けることができると共に、側大引８を介して床パネル３により安定して地震等の水平力を負担することができるものである。
【０００９】
また、ラーメン構造の架構体１を建物本体用架構体部１０からバルコニー用架構体部１１を一体に張り出して形成し、建物本体用架構体部１０に上記側大引８を介して取付ける床パネル３の上面位置よりも、バルコニー用架構体部１１に上記側大引８を介して取付ける床パネル３の上面位置を下に位置させて成ることを特徴とすることが好ましい。
【００１０】
このような構成とすることで、建物本体用架構体部１０部分だけでなくバルコニー用架構体部１１部分においても水平ブレースを設ける必要がなく、このようにバルコニー用架構体部１１部分においても水平ブレースを設ける必要がないので、つまり、従来のように水平ブレースを設けるスペースをバルコニー部分に設ける必要がないので、建物本体用架構体部１０に上記側大引８を介して取付ける床パネル３の上面位置よりも、バルコニー用架構体部１１に上記側大引８を介して取付ける床パネル３の上面位置を下に位置させることが可能となり、これにより、建物本体用架構体部１０に取付ける床パネル３とバルコニー用架構体部１１に取付ける床パネル３との間の境界部分にバルコニー側の床パネル３側から屋内側の床パネル３側に水が入らないようにするための立ち上がりを設けることなく該境界部分を掃出し窓とすることが可能となるものである。しかも、バルコニー用架構体部１１に取付ける床パネル３を建物本体用架構体部１０に取付ける床パネル３よりも下に位置させるとその分バルコニー側において床パネル３の下方の天井裏（軒天井裏）の懐が小さくなるが、バルコニー側においても軒天井裏に水平ブレースを配置する必要がないので、バルコニーからの排水を行うためのドレインや呼び樋等の配管を軒天井裏に配置することが可能となる。
【発明の効果】
【００１１】
本発明は、構造用床パネルよりなる床パネルの４辺がそれぞれラーメン構造の架構体を構成する床パネルの４辺に対向する各梁に対して長尺の側大引を介して捩れないように連結一体化してあるので、地震等による水平力がラーメン構造の架構体に作用した場合、水平力を梁から構造用床パネルよりなる床パネルで負担することができ、これにより床パネルを配置した部分の下方に従来のように水平力を負担するための水平ブレースを架け渡す必要がなく、従来のように水平ブレースによる制約を受けることなく天井裏空間に配管、配線、照明器具や空調装置等の各種機器等を自由に配置できるものであり、施工も水平ブレースに邪魔されないので容易に行えるものであり、更に、水平ブレースを配置する必要がないので、天井裏の懐（上下長さ）を短くすることも可能となり、この場合には、建物の高さを低くできてコストダウンが可能となる。
【発明を実施するための最良の形態】
【００１２】
以下、本発明を添付図面に示す実施形態に基いて説明する。
【００１３】
図１、図２に示すように、断面ロ字状をした金属製の柱１２間に断面Ｈ字状をした金属製の梁２を架設してラーメン構造の架構体１が構成してある。
【００１４】
床パネル３は図２に示すように、断面コ字状をした金属枠材を平面視矩形状に枠組みした外周枠４の上面に構造用合板、構造用繊維セメント板等の構造用面板５を取着することで構成した水平耐力を負担することができる構造用床パネルにより構成してあり、外周枠４に囲まれた部分には必要に応じて中枠材を架設して取付けてもよい。
【００１５】
側大引８は梁取付け用縦片６の下端部から梁取付け用縦片６の全長にわたって側方に床パネル取付け用横片７を一体に突設することで構成した断面Ｌ字状をした金属製の長尺部材である。
【００１６】
床パネル３は、ラーメン構造の架構体１の構成部材である梁２により四周を囲まれた部分に配置されて取付けられるものである。この場合、床パネル３の四周の各辺に対向する各梁２のウェッブ２ｂの側面に側大引８の梁取付け用縦片６を当接した状態で、梁取付け用縦片６の長手方向における２箇所以上の箇所でボルト９により連結固着してあり、このように四周の梁２にそれぞれ各梁２の長手方向に沿って長くなった側大引８を取付けた状態で、床パネル取付け用横片７の先端部が梁２のフランジ２ａの側端よりも側方に突出するものであり、この、床パネル取付け用横片７の先端部に床パネル３の外周枠４を載置し、長尺の側大引８の床パネル取付け用横片７の長手方向における２箇所以上の箇所でボルト９により床パネル取付け用横片７と床パネル３の外周枠４とを連結固着してある。
【００１７】
このように床パネル３の４辺はいずれも各辺が対向する梁２に対して長尺の側大引８を介して連結してある。
【００１８】
ここで、床パネル３の四周を囲む梁２に取付けて床パネル３の四周の各辺を取付ける長尺の各側大引８は、いずれもそれぞれ対応する床パネル３の辺の長さの１／２以上の長さとなっている。
【００１９】
長尺の側大引８は梁２に対して長手方向における２箇所以上の箇所でボルト９により連結すると共に床パネル３の各辺（外周枠４の各金属枠）に対して長手方向における２箇所以上の箇所でボルト９により連結してあるので、梁２に対して長尺の側大引８が回動せず、また、長尺の側大引８に対して床パネル３が回動しないような一種の剛結合に類似した接合構造により床パネル３が外周の梁２に連結してある。
【００２０】
上記のようにしてラーメン構造の架構体１を構成する梁２で四周を囲まれた部分に構造用床パネルにより構成した床パネル３を配設して四周の各辺をこれと対向する梁１にそれぞれ側大引８を介して連結してあるので、ラーメン構造の架構体１に地震のような水平力が作用した場合、梁１から側大引８を介して構造用床パネルにより構成した床パネル３に伝えられ、構造用床パネルにより構成した床パネル３により水平力を負担することができるものである。このように構造用床パネルにより構成した床パネル３で地震等の水平力を負担できるので、従来のように水平力を負担するための水平ブレースを必要としないものである。したがって、従来のように床パネル３を配置した部分の下方に水平力を負担するための水平ブレースを架け渡す必要がなく、天井裏空間に水平ブレースを設ける必要がないので、天井裏空間に配管、配線、照明器具や空調装置等の各種機器等を配設するに当たって、水平ブレースによる制約を受けることなく自由な位置に配置できるものであり、また、施工も水平ブレースに邪魔されないので容易に行えるものである。また、水平ブレースを配置する必要がないので、天井裏の懐（上下長さ）が短くすることも可能となり、この場合には、建物の高さを低くできてコストダウンが可能となるものである。
【００２１】
図５には水平ブレースを配置した従来における床パネル３の床面内せん断試験（水平加圧力試験）の結果を示すグラフが示してあり、水平ブレースを設けることで変形量が小さくなっていることが判る。一方、図６には上記のように床パネル３の４辺をそれぞれ対向する梁２に取付けた側大引８（実施例では長さが床パネル３の対応する辺の長さの１／２の長さ）に長手方向の２箇所でボルト９により連結することで床パネル３を取付けると共に水平ブレースを設けない場合の床パネル３の床面内せん断試験（水平加圧力試験）の結果を示すグラフが示してある。この図５、図６のグラフから明らかなように、水平ブレースを設けないにもかかわらず、水平ブレースを設けた場合とほぼ同様の小さな変形量となり、水平ブレースを設けた場合とほぼ同様の効果があることが判明する。
【００２２】
なお、側大引８を床パネル３の対応する辺の長さの１／２未満の長さにすることも考えられるが、側大引８を床パネル３の対応する辺の長さの１／２未満の長さにしたもので水平ブレースを設けない場合、実験の結果、水平ブレースを設けた場合に比べると変形量が大きく、したがって、床パネル３に水平ブレースの役目を兼用させるには少し無理があることが判明したので、本発明においては、上記のように、側大引８の長さを床パネル３の対応する辺の長さの１／２の長さ以上にすることで、床パネル３に水平ブレースの役目を兼用させて水平ブレースを設けなくてもすむようにしたものである。
【００２３】
図３、図４には本発明の他の実施形態が示してある。本実施形態では、ラーメン構造の架構体１を建物本体用架構体部１０からバルコニー用架構体部１１を一体に張り出して形成してある。本実施形態においては、架構体１の建物本体用架構体部１０部分において、上記と同様にして側大引８を介して構造用床パネルよりなる床パネル３を取付けると共にバルコニー用架構体部１１において、上記と同様にして側大引８を介して構造用床パネルよりなる床パネル３を取付けるのであるが、この場合、バルコニー用架構体部１１に上記側大引８を介して取付ける床パネル３の上面位置を、上記と同様にして建物本体用架構体部１０に上記側大引８を介して取付ける床パネル３の上面位置よりも下に位置させてある。このようにすることで、建物本体用架構体部１０に取付ける床パネル３とバルコニー用架構体部１１に取付ける床パネル３との間の境界部分にバルコニー側の床パネル３側から屋内側の床パネル３側に水が入らないようにするための立ち上がりを設けることなく該境界部分を掃出し窓１３とすることが可能となるものである。つまり、建物本体用架構体部１０に取付ける床パネル３とバルコニー用架構体部１１に取付ける床パネル３との間の境界部分に設ける窓枠として掃出し窓１３の下窓枠１３ａを配設できる。このようにバルコニー用架構体部１１に取付ける床パネル３を建物本体用架構体部１０に取付ける床パネル３よりも下に位置させるとその分バルコニー側において床パネル３の下方の天井裏（軒天井裏）の懐が小さくなるが、上記のようにバルコニー側においても軒天井裏に水平ブレースを配置する必要がないので、軒天井裏空間の上下長さの範囲を十分に利用して図４のようにバルコニーの床パネル３に設けた排水孔に取付けるドレイン１５、呼び樋１６を配置し、軒天井１７の外壁１８側の端部付近に設けた孔から軒天井１７の下方に外壁１８に沿って縦樋１９を配置するという施工が可能となり、軒天井裏空間の上下長さが短くても、十分にドレイン１５、呼び樋１６を軒天井裏空間に配置して外部に露出しないようにできて、外観が良くなるものである。
【００２４】
なお、図中１９はバルコニーの床パネル３上に敷設される床材であり、図中２０は建物本体側の床パネル３上に敷設される床材である。
【図面の簡単な説明】
【００２５】
【図１】本発明の一実施形態の平面図である。
【図２】同上の図１のＡ−Ａ線の断面図である
【図３】同上の他の実施形態の平面図である。
【図４】同上の図３のＢ−Ｂ線の断面図である。
【図５】従来の水平ブレースを配置した床パネルの床面内せん断試験（水平加圧力試験）の結果を示すグラフである。
【図６】本発明の側大引に長手方向の２箇所でボルトにより連結することで床パネルを取付けると共に水平ブレースを設けない場合の床パネルの床面内せん断試験（水平加圧力試験）の結果を示すグラフである。
【符号の説明】
【００２６】
１  ラーメン構造の架構体
２  梁
３  床パネル
４  外周枠
５  構造用面板
６  梁取付け用縦片
７  床パネル取付け用横片
８  側大引
９  ボルト
１０  建物本体用架構体部
１１  バルコニー用架構体部
【図１】
2006037364.tif 000003
【図２】
2006037364.tif 000004
【図３】
2006037364.tif 000005
【図４】
2006037364.tif 000006
【図５】
2006037364.tif 000007
【図６】
2006037364.tif 000008